(57)【要約】      （修正有）【課題】開閉扉が簡単に開くい構造として、開閉扉で覆われた位置において、不用意な入出力操作を抑制する。【解決手段】ＩＣカードＡを挿入する挿入スロット４を開閉扉５で覆う。開閉扉５は、左右一対のフック爪８，８がフロントパネル３の係止孔９，９に係止することでロックする。開閉扉５は、開閉扉５を手前に引っ張ることでフック爪８，８が係止孔９，９から離脱し、ロックの解除が成されるが、開閉扉５のロックを解除する力Ｆを、プッシュプルケージＫによる測定で3.5Ｎ(ニュートン）程度に設定する。これにより、開閉扉５が簡単に開くい構造となり、例えば、デジタル放送受信時において、開閉扉５を開いて挿入スロット４に挿入したＩＣカードＡを不用意に抜き差しするといった誤操作を抑制する。【選択図】図２
2007335789.tif 000002
【特許請求の範囲】
【請求項１】
筐体のフロントパネルに開閉扉を回動自在に取り付けるとともに、この開閉扉を閉状態でロックするためのロック手段を設けた開閉扉を備えた電子機器において、前記ロック手段が、少なくとも3.5Ｎ(ニュートン）以上の力で解除できるように構成したことを特徴とする開閉扉を備えた電子機器。
【請求項２】
前記ロック手段が前記開閉扉側に設けた弾性変形可能なフック爪と、フロントパネル側に設けた前記フック爪と係脱自在な係止孔とで構成され、前記開閉扉を、少なくとも3.5Ｎ(ニュートン）以上の力で引くことで前記係止孔から前記フック爪が外れるように構成したことを特徴とする請求項１記載の開閉扉を備えた電子機器。
【請求項３】
前記開閉扉の内面両側に左右一対のフック爪を形成したことを特徴とする請求項２記載の開閉扉を備えた電子機器。
【請求項４】
前記開閉扉の内面に幅広なフック爪を形成したことを特徴とする請求項２記載の開閉扉を備えた電子機器。
【請求項５】
前記電子機器がデジタル放送受信用のセットトップボックスであって、そのセットトップボックスのフロントパネルに形成した段差凹部にＩＣカードの挿入スロットを形成し、この挿入スロットを前記開閉扉で開閉するとともに、該開閉扉の閉状態において前記フロントパネルと開閉扉とがほぼフラットに連続し、その開閉扉を引いて前記ロック手段を解除する際の手掛け用の窪み部が前記筐体の側面部に形成されていることを特徴とする請求項１〜４の何れか１項に記載の開閉扉を備えた電子機器。
【発明の詳細な説明】
【技術分野】
【０００１】
本発明は、例えばデジタル放送受信用のセットトップボックスに備えたＩＣカードの挿入スロットを開閉扉で開閉する開閉扉を備えた電子機器、特に、ＩＣカードを誤って抜き差ししないように挿入スロットを覆う開閉扉を開きにくくした開閉扉を備えた電子機器に関する。
【背景技術】
【０００２】
従来から例えばＡＶ機器などの電子機器の前面に比較的、使用頻度の低い端子部や操作スイッチを配置し、通常、これらの端子部や操作スイッチを目隠しする目的で端子部や操作スイッチを開閉扉で覆うようにした電子機器の開閉扉構造が知られている。このような電子機器の開閉扉構造として例えば特許文献１などには、フロントパネルに設けた水平軸部に開閉扉を回動自在に枢着し、この開閉扉が垂直姿勢で入出力部の前面を被って閉じた状態となり、この垂直姿勢から回動することにより入出力部の前面を開いた状態となる電子機器のドア構造において、フロントパネルに上下に撓み変形可能なフック部を形成し、開閉扉にフック部と係合する爪を形成し、その開閉扉が閉状態のとき、フック部に形成する突起を爪に形成する谷部に嵌合させてロックするように構成した電子機器のドア構造が提案され、また、特許文献２には、開閉扉の内面側に弾性変形可能なフック爪を設け、このフック爪を本体側に設けた係止孔に係合させて開閉扉を閉状態でロックするように構成した電子機器が開示されている。
【０００３】
【特許文献１】特開２００６−５９８９２号公報
【特許文献２】特開平１０−１０９９２号公報
【発明の開示】
【発明が解決しようとする課題】
【０００４】
この種の開閉扉におけるロック構造は、必要に応じて開閉扉を開閉して、その開閉扉で目隠しされる入出力端子部や各種のスイッチなどの接続あるいは入出力操作を行うものであるから、その接続あるいは入出力操作を行う際、開閉扉が軽微な力でロック解除できる構造が一般的である。しかし、通常、開閉扉で目隠される部位によっては、不用意に入出力操作されて困る場合がある。例えば、出荷時に電子機器の調整を行う場合、一般ユーザーが不用意に調整すると場合によっては適正な調整が狂う原因となるなどの場合もある。また、電子機器によっては、不用意な操作によって電子機器に悪影響を及ぼす場合もあり、例えば、デジタル放送受信用のセットトップボックスなどにおいては、デジタル放送受信時において、セットトップボックスの前面に形成した挿入スロットからＩＣカードを引き抜くとＩＣカードに記憶されたデータが破壊されるなどのトラブルを引き起こす。このため、この種のセットトップボックスにおいては、挿入スロットを開閉する開閉扉を検知するためのスイッチが設けられ、開閉扉を開くとデジタル放送の受信を緊急停止するようになっている。
【０００５】
このように、電子機器によってはユーザーが不用意に操作されて欲しくない入出力操作部を開閉扉で覆う、すなわち、通常、外見的に露出しない位置に目隠ししている。しかし、その開閉扉のロック手段が簡単に解除されてしまうと、その開閉扉を容易に開いてしまい、折角、開閉扉で目隠ししているにも拘らず、開閉扉で隠された入出力操作部をユーザーが触ってしまい、機器にとって悪影響を与えるといった課題を有していた。
【０００６】
本発明は上述した問題点に鑑みてなされたものであり、開閉扉が簡単に開くことなく、開きにくくすることで、不用意な入出力操作を抑制することができる開閉扉を備えた電子機器を提供することを目的とする。
【課題を解決するための手段】
【０００７】
請求項１の開閉扉を備えた電子機器は、筐体のフロントパネルに開閉扉を回動自在に取り付けるとともに、この開閉扉を閉状態でロックするためのロック手段を設けた開閉扉を備えた電子機器において、前記ロック手段が、少なくとも3.5Ｎ(ニュートン）以上の力で解除できるように構成したことを特徴とする。
【０００８】
請求項１の構成により、開閉扉を開いて各種の入出力操作などを行う場合、入出力操作の誤操作によって、電子機器の機能などに悪影響を与える虞れがある場合などにおいて、開閉扉が軽微な力で開かないように開閉扉が簡単に開けにくい構造とし、ロック手段を解除する際、必要以上に開けにくくすると、開閉操作性が悪くなる。このため、ロック手段を解除する力として、ロック手段が簡単に外れにくく、かつ、操作性が著しく悪化しない数値として、実験により3.5Ｎ(ニュートン）程度が最適であるという結果が得られた。このように、ロック手段を解除する力として、少なくとも3.5Ｎ(ニュートン）以上に設定することで、手作業にて開閉扉が簡単に外れにくく、かつ、開閉扉の開閉も可能となる。
【０００９】
請求項２の開閉扉を備えた電子機器は、請求項１記載の開閉扉を備えた電子機器において、前記ロック手段が前記開閉扉側に設けた弾性変形可能なフック爪と、フロントパネル側に設けた前記フック爪と係脱自在な係止孔とで構成され、前記開閉扉を、少なくとも3.5Ｎ(ニュートン）以上の力で引くことで前記係止孔から前記フック爪が外れるように構成したことを特徴とする。
【００１０】
請求項２の構成により、フック爪を係止孔内に挿入することによって、フック爪が係止孔に係止され、開閉扉がロックされ、開閉扉を引くことで、フック爪が係止孔から引き抜かれて開閉扉のロック解除が成される。このフック爪が係止孔から外れる力を少なくとも、3.5Ｎ(ニュートン）程度に設定することで、開閉扉が簡単に外れにくくなる。
【００１１】
請求項３の開閉扉を備えた電子機器は、請求項２記載の開閉扉を備えた電子機器において、前記開閉扉の内面両側に左右一対のフック爪を形成したことを特徴とする。
【００１２】
請求項３の構成により、左右一対のフック爪をそれぞれ係止孔に係止して開閉扉をロックすることで、開閉扉のロックを解除するには、各係止孔からそれぞれフック爪を引き抜く必要がある。さらに、そのフック爪を係止孔から外れる力を3.5Ｎ(ニュートン）程度とすることで、開閉扉が簡単に外れにくくなる。
【００１３】
請求項４の開閉扉を備えた電子機器は、請求項２記載の開閉扉を備えた電子機器において、前記開閉扉の内面に幅広なフック爪を形成したことを特徴とする。
【００１４】
請求項４の構成により、開閉扉の内面上部ほぼ中央部に幅広なフック爪を係止孔に係止して開閉扉をロックすることで、フック爪と係止孔との接触面積を広く設定でき、そのフック爪を係止孔から外れる力を3.5Ｎ(ニュートン）程度とすることで、開閉扉が簡単に外れにくくなる。
【００１５】
請求項５の開閉扉を備えた電子機器は、請求項１〜４の何れか１項に記載の開閉扉を備えた電子機器において、前記電子機器がデジタル放送受信用のセットトップボックスであって、そのセットトップボックスのフロントパネルに形成した段差凹部にＩＣカードの挿入スロットを形成し、この挿入スロットを前記開閉扉で開閉するとともに、該開閉扉の閉状態において前記フロントパネルと開閉扉とがほぼフラットに連続し、その開閉扉を引いて前記ロック手段を解除する際の手掛け用の窪み部が前記筐体の側面部に形成されていることを特徴とする。
【００１６】
請求項５の構成により、開閉扉が開いた状態において、挿入スロットが露出し、挿入スロットへのＩＣカードの抜き差しが可能となり、開閉扉を閉じることによって、挿入スロットを覆った状態で開閉扉がロックされ、挿入スロットへのＩＣカードの抜き差しはできなくなる。デジタル放送受信用のセットトップボックスにおいては、デジタル放送の受信時において、開閉扉を開くとデジタル放送の受信ができなくなるが、開閉扉のロックを解除する力を、3.5Ｎ(ニュートン）程度に設定することで、開閉扉を引いたとしても、不用意に開閉扉のロックが外れて開くことがない。また、開閉扉を閉じた状態では、開閉扉とフロントパネルとがほぼフラットに連続するとともに、開閉扉のロックを解除する際、開閉扉を指で引っ掛けるための手掛け用の窪み部をフロントパネルの側面部に形成することで、筐体の正面側から窪み部が直接的に見えにくいから、構造的にも開閉扉が開きにくい構造となる。
【発明の効果】
【００１７】
請求項１の開閉扉を備えた電子機器によれば、筐体のフロントパネルに開閉扉を回動自在に取り付けるとともに、この開閉扉を閉状態でロックするためのロック手段を設けた開閉扉を備えた電子機器において、前記ロック手段が、少なくとも3.5Ｎ(ニュートン）以上の力で解除できるように構成したことにより、開閉扉で塞がれた位置にて入出力操作などを行う場合、開閉扉が簡単に外れにくくなるから、不用意な入出力操作が行われにくくなるため、誤操作の抑制を図ることができる。
【００１８】
請求項２の開閉扉を備えた電子機器によれば、請求項１記載の開閉扉を備えた電子機器において、前記ロック手段が前記開閉扉側に設けた弾性変形可能なフック爪と、フロントパネル側に設けた前記フック爪と係脱自在な係止孔とで構成され、前記開閉扉を、少なくとも3.5Ｎ(ニュートン）以上の力で引くことで前記係止孔から前記フック爪が外れるように構成したものであるから、開閉扉のロック解除を行う際、フック爪が係止孔から簡単に外れにくくなる。
【００１９】
請求項３の開閉扉を備えた電子機器によれば、請求項２記載の開閉扉を備えた電子機器において、前記開閉扉の内面両側に左右一対のフック爪を形成したものであるから、左右一対のフック爪を設けることで、開閉扉のロックを解除する際、左右のフック爪がそれぞれ係止孔から外す必要があるため、開閉扉のロック解除を行う際、フック爪を係止孔から簡単に外れにくくすることができる。
【００２０】
請求項４の開閉扉を備えた電子機器によれば、請求項２記載の開閉扉を備えた電子機器において、前記開閉扉の内面に幅広なフック爪を形成したことにより、フック爪と係止孔との接触面積を増やすことで、開閉扉のロック解除を行う際、フック爪を係止孔から簡単に外れにくくすることができる。
【００２１】
請求項５の開閉扉を備えた電子機器によれば、請求項１〜４の何れか１項に記載の開閉扉を備えた電子機器において、前記電子機器がデジタル放送受信用のセットトップボックスであって、そのセットトップボックスのフロントパネルに形成した段差凹部にＩＣカードの挿入スロットを形成し、この挿入スロットを前記開閉扉で開閉するとともに、該開閉扉の閉状態において前記フロントパネルと開閉扉とがほぼフラットに連続し、その開閉扉を引いて前記ロック手段を解除する際の手掛け用の窪み部が前記筐体の側面部に形成されているものであるから、開閉扉を開きにくくすることで、デジタル放送の受信時において、開閉扉を開けることによって生じるデジタル放送の受信が緊急停止するといったトラブルを回避できる。また、開閉扉を閉じた状態においては、開閉扉とフロントパネルとをほぼフラットに連続させ、開閉扉を開く際に開閉扉を指で引っ掛けて引くための手掛け用の窪み部を筐体の正面側から窪み部が直接的に見えにくいフロントパネルの側面部に形成することで、構造的にも開閉扉を不用意に開けにくい構造とすることができる。
【発明を実施するための最良の形態】
【００２２】
以下、本発明の開閉扉を備えた電子機器の具体的実施例としてデジタル放送受信用のセットトップボックスに適用した場合について、添付図面を参照しながら説明する。なお、以下の実施態様は、本発明を具体化する際の一形態であって、本発明をその範囲内に限定するためのものではない。
【実施例１】
【００２３】
図１は、本発明の実施例１を示す開閉扉付近の斜視図、図２はフック爪の平断面図、図３は開閉扉を開いた状態を示す正面図、図４はフック爪の縦断面図であり、同図で示すように、デジタル放送受信用のセットトップボックスの筐体１の前面にはフロントパネル２が設けられ、このフロントパネル２の一端部に段差凹部３が形成されている。段差凹部３には、ＩＣカードＡを挿入する挿入スロット４が形成され、この挿入スロット４を覆う開閉扉５が前記段差凹部３の前面側に設けられている。この開閉扉５はフロントパネル２に設けたヒンジ部６の水平軸７に回動自在に枢着され、垂直姿勢で挿入スロット４を閉じた状態となり、この垂直姿勢から回動することにより挿入スロット４の前面を開いた状態となる。なお、段差部３に設けられた開閉扉５を閉めることによって、図２に示すように、開閉扉５とフロントパネル２とがほぼフラットに連続した状態となる。
【００２４】
次に開閉扉５を閉状態でロックするためのロック手段の構成について説明する。開閉扉５のロック手段は、開閉扉５の内面両側にそれぞれ対向して突設された左右一対のフック爪８，８と、このロック爪８，８に対応して前記段差部３に設けた係止孔９，９から成る。フック爪８，８は左右方向に弾性変形可能であり、その各フック爪８，８の内面に円弧状の係止突起８Ａ，８Ａが突設されている。一方、各フック爪８，８の係止突起８Ａ，８Ａと対応する前記係止孔９，９のそれぞれ内縁側には、係止突起８Ａ，８Ａを誘う込むテーパ状の案内面９Ａ，９Ａが形成され、この案内面９Ａ，９Ａに沿って各フック爪８，８の係止突起８Ａ，８Ａが案内され、各フック爪８，８が外側に撓み、係止突起８Ａ，８Ａが案内面９Ａ，９Ａを乗り越えると各フック爪８，８が弾性復帰し、前記係止突起８Ａ，８Ａを係止孔９，９の裏面に係止することによって、開閉扉５は挿入スロット４を閉じた状態でロックされる。すなわち、開状態の開閉扉５をロックするには、開閉扉５を起して左右のフック爪８，８を係止孔９，９内に挿入することによって、フック爪８，８がそれぞれ係止孔９，９を乗り越えることでフロントパネル２の裏面側に係止される。逆に開閉扉５を開くには、開閉扉５を手前に引いて左右のフック爪８，８の係止突起８Ａ，８Ａを係止孔９，９から抜き取ることによって成されるが、係止突起８Ａ，８Ａの高さあるいはフック爪８，８の材質や厚さによるフック爪８，８の弾性係数などに基づいてフック爪８，８が外れる力Ｆは、プッシュプルケージＫによる測定で3.5Ｎ(ニュートン）程度に設定している。なお、開閉扉５を手前に引いて開閉扉５のロックを解除する際、開閉扉５を指で引っ掛けるための手掛け用の窪み部１０が前記フロントパネル２の側面部に形成されている。また、筐体１の内部には、開閉扉５の開閉を検知するためのスイッチ１１が設けられ、開閉扉５の内面には前記スイッチ１１を押圧操作するために突起部１２が形成され、開閉扉５を閉じると、突起部２１が段差部３に形成する挿通孔１３に貫通して筐体１内に設けたスイッチ１１をオンする。このスイッチ１１がオンした状態でデジタル放送の受信が可能となり、開閉扉５を開くとスイッチ１１から突起部２１が離れてスイッチ１１がオフし、デジタル放送の受信を停止するように構成している。
【００２５】
このように、本実施例によれば、開閉扉５が開いた状態において、挿入スロット４が露出し、挿入スロット４へのＩＣカードＡの抜き差しが可能となる。ところで、デジタル放送の受信時に挿入スロット４からＩＣカードＡを引き抜くと、ＩＣカードＡに記憶されたデータが壊れるなどの重大なトラブルが発生することら、デジタル放送の受信時において、開閉扉５を開くとデジタル放送の受信を停止するためのスイッチ１１が設けられている。すなわち、開閉扉５を開くと、開閉扉５の内面に設けた突起部１２がスイッチ１１から離れ、スイッチ１１がオフすることによってデジタル放送の受信を停止するように制御される。したがって、通常、開閉扉５は垂直姿勢でロックする。この開閉扉５が垂直姿勢において、開閉扉５の内面側に設けた左右のフック爪８，８がフロントパネル３の係止孔９，９内に挿入される。これにより、フック爪８，８の係止突起８Ａ，８Ａが係止孔９，９の内縁に係合し、フック爪８，８が外側に撓むように弾性変形することによってフック爪８，８の係止突起８Ａ，８Ａがフロントパネル２の裏面側に係止される。このようにして開閉扉５を閉じると挿入スロット４が覆った状態で開閉扉５がロックされる。この時、開閉扉５はフロントパネル２とほぼフラットに連続するとともに、開閉扉５の内面に設けた突起部１２がスイッチ１１を押し、スイッチ１１がオンすることによってデジタル放送の受信が可能となる。
【００２６】
このようにデジタル放送受信用のセットトップボックスにおいては、デジタル放送の受信時において、開閉扉５を開くとデジタル放送の受信ができなくなるが、開閉扉５をロックするロック手段として開閉扉５の内面両側に左右一対のフック爪８，８を設け、このフック爪８，８のロックを解除する力Ｆを、プッシュプルケージＫによる測定で3.5Ｎ(ニュートン）程度に設定することにより、開閉扉５を手前に引いたとしても、不用意にフック爪８，８のロックが外れ、開閉扉５を開くことがない。すなわち、一般に、この種の電子機器において比較的、小さな開閉扉をロックする場合、一つのロック爪を用いており、比較的、軽微な力で開閉扉５のロック及びロック解除が可能となっているが、本実施例においては、挿入スロット４を覆う比較的、小さな開閉扉５でありながら、左右一対のフック爪８，８を形成することで開閉扉５を手前に引いたとしても、簡単にフック爪８，８のロックが外れにくい構造としている。また、開閉扉５のロックを解除する力Ｆを設定するにあたり、フック爪８，８のロックが外れにくく、かつ、挿入スロット４にＩＣカードＡを抜き差しする際、開閉扉５は開ける必要があるので、必要以上にロック解除をきつくすると操作の面にも支障を来たすといった点を考慮し、実験を繰り返してプッシュプルケージＫによる測定で3.5Ｎ(ニュートン）程度が最適であるという結果が得られた。さらに、開閉扉５を閉じた状態では、開閉扉５とフロントパネル２とがほぼフラットに連続するとともに、開閉扉５のロックを解除する際、開閉扉５を指で引っ掛けるための手掛け用の窪み部１０が前記フロントパネル２の側面部に形成されているから、筐体１の正面側から窪み部１０が直接的に見えにくくなるため、構造的にも不用意に開閉扉５が開きにくい。
【実施例２】
【００２７】
図５は、本発明の実施例２を示すフック爪の平断面図、図６はフック爪の縦断面図を示している。なお、実施例２においては、実施例１とフック爪の構成が異なる以外、実施例１の構成と実質同一であるから、実施例１と共通する機能を有する部分に同一符号を付し、異なる部分についてのみ説明する。すなわち、前記実施例１においては、左右一対のフック爪８を設け、これら各フック爪８が外れる力ＦをプッシュプルケージＫによる測定で3.5Ｎ(ニュートン）程度に設定した例を示したが、本実施例においては、開閉扉５の上部ほぼ中央に水平方向に幅広なフック爪２０を形成し、このフック爪２０の先端部に形成する係止突起２０Ａをフロントパネル２に形成する横長な係止孔２１を係止している。すなわち、実施例１ではフック爪の数を増やすことで開閉扉５が開きにくくしているが、本実施例ではフック爪２０の係止突起２０Ａと、これを係止するフロントパネル２（係止孔２１の裏面周縁部）との接触面積を拡大することで、フック爪８が外れる力ＦをプッシュプルケージＫによる測定で3.5Ｎ(ニュートン）程度に設定している。したがって、本実施例において、幅広なフック爪２０を係止孔２１に係止することにより、前記実施例１と同様、閉じた開閉扉５が不用意に開きにくい構造とすることができる。
【００２８】
以上、本発明の実施例を詳述したが、本発明は、前記実施例に限定されるものではなく、本発明の要旨の範囲内で種々の変形実施が可能である。例えば、各実施例において、電子機器の具体的例としてデジタル放送受信用のセットトップボックスに適用した場合について説明したが、必ずしもデジタル放送受信用のセットトップボックスに限るものではなく、不用意に開くと支障を来たす虞れのある電子機器の開閉扉として適用可能である。また、フック爪の形状や数などについても前記実施例に限定されるものではなく、要はフック爪が外れる力ＦがプッシュプルケージＫによる測定で3.5Ｎ(ニュートン）程度であればよい。
【図面の簡単な説明】
【００２９】
【図１】本発明の実施例１を示す開閉扉を開いた状態の斜視図である。
【図２】同上、フック爪の平断面図である。
【図３】同上、開閉扉を開いた状態を示す正面図である。
【図４】同上、フック爪の縦断面図である。
【図５】本発明の実施例２を示すフック爪の平断面図である。
【図６】同上、フック爪の縦断面図である。
【符号の説明】
【００３０】
１    筐体
２    フロントパネル
３    段差凹部
４    挿入スロット
５    開閉扉
６  ヒンジ部
８，２０    ロック爪（ロック手段）
７，２１    係止孔（ロック手段）
１０    窪み部
【図１】
2007335789.tif 000003
【図２】
2007335789.tif 000004
【図３】
2007335789.tif 000005
【図４】
2007335789.tif 000006
【図５】
2007335789.tif 000007
【図６】
2007335789.tif 000008